(57)【要約】【課題】異音発生時にユーザに不快な音を聴かせることを避けることが出来る通信装置及び通信方法を提供する。【解決手段】通信装置は、音声データを含む無線信号を送受信する送受信部３と、前記送受信部３で受信した無線信号をデジタル信号に変換する復号処理と、前記デジタル信号の秘匿パラメータを解除して秘匿解除後の音声データを生成する秘匿パラメータ解除処理と、を行う伝送制御部４と、前記伝送制御部４の生成した秘匿解除後の音声データを音声コーデック規則に基づいて音声符号化データへ変換する符号化処理を行うとともに、変換した音声符号化データのパラメータが所定のパラメータ範囲内にあるか否かを判定し、前記音声符号化データのパラメータが所定のパラメータ範囲内にない旨の判定が行われた場合に、前記伝送制御部４に対して通信の切断および再発信の要求を行う音声制御部５と、を備える。【選択図】図１
2012028889.tif 000002
【特許請求の範囲】
【請求項１】
音声データを含む無線信号を送受信する送受信部と、
前記送受信部で受信した無線信号をデジタル信号に変換する復号処理と、前記デジタル信号の秘匿パラメータを解除して秘匿解除後の音声データを生成する秘匿パラメータ解除処理と、を行う伝送制御部と、
前記伝送制御部の生成した秘匿解除後の音声データを音声コーデック規則に基づいて音声符号化データへ変換する符号化処理を行うとともに、変換した音声符号化データのパラメータが所定のパラメータ範囲内にあるか否かを判定し、前記音声符号化データのパラメータが所定のパラメータ範囲内にない旨の判定が行われた場合に、前記伝送制御部に対して通信の切断および再発信の要求を行う音声制御部と、
を備える通信装置。
【請求項２】
前記音声制御部は、前記音声符号化データのパラメータのうち、Ａｄａｐｔｉｖｅ  Ｃｏｄｅｂｏｏｋ  ｉｎｄｅｘが１０２／６から５６４／６までの範囲でない場合又はＡｄａｐｔｉｖｅ  Ｃｏｄｅｂｏｏｋ  Ｇａｉｎが０．０から１．２までの範囲でない場合に、前記音声符号化データのパラメータが所定のパラメータ範囲内にない旨の判定を行う
請求項１に記載の通信装置。
【請求項３】
前記音声制御部は、前記音声符号化データのパラメータが所定のパラメータ範囲にないと判定した回数をカウントする不一致カウンタを有し、前記不一致カウンタのカウント値が所定回数を超えた場合に、前記伝送制御部に対して通信の切断および再発信の要求を行う
請求項１又は請求項２に記載の通信装置。
【請求項４】
前記伝送制御部は、前記デジタル信号に付加されるＣＲＣビットを照合することで伝搬路上のデータの誤りの有無を判定するＣＲＣのＯＫ、ＮＧ判定と、前記デジタル信号のデータのビット数に基づいて有音無音区間の判定とを行い、ＣＲＣがＯＫかつ有音区間であることを検出した場合に、前記デジタル信号の秘匿パラメータを解除して秘匿解除後の音声データを生成する秘匿パラメータ解除処理を行う
請求項１乃至請求項３のいずれか１項に記載の通信装置。
【請求項５】
音声データを含む無線信号を送受信する送受信ステップと、
前記送受信ステップで受信した無線信号をデジタル信号に変換する復号処理と、前記デジタル信号の秘匿パラメータを解除して秘匿解除後の音声データを生成する秘匿パラメータ解除処理と、を行う伝送制御ステップと、
前記伝送制御ステップの生成した秘匿解除後の音声データを音声コーデック規則に基づいて音声符号化データへ変換する符号化処理を行うとともに、変換した音声符号化データのパラメータが所定のパラメータ範囲内にあるか否かを判定し、前記音声符号化データのパラメータが所定のパラメータ範囲内にない旨の判定が行われた場合に、通信の切断および再発信の要求を行う音声制御ステップと、
を備える通信方法。
【発明の詳細な説明】
【技術分野】
【０００１】
本発明は、通信装置及び通信方法に関し、特に、音声通信時の秘匿パラメータずれによる異音を検出し、自動で切断と再発信を行う機能を有する通信装置及び通信方法を含む。
【背景技術】
【０００２】
特許文献１には、音声通信時の秘匿パラメータずれによる音声異音の発生要因となる秘匿パラメータの内、移動機と基地局側でやり取りを行うカウンタ値（ＣＦＮ）のずれが発生するタイミングにおいて、基地局側でカウンタ値を補正することで基地局側と移動機側で秘匿パラメータを一致させ、呼接続を継続しながら音声異音の発生を回避することが記載されている。
【先行技術文献】
【特許文献】
【０００３】
【特許文献１】特開２００５−１７６３３５号公報
【発明の概要】
【発明が解決しようとする課題】
【０００４】
しかしながら、前述従来技術の構成では、基地局と移動機間でやり取りするメッセジーが伝送環境劣化等の要因により再送を行うことで秘匿パラメータのずれが発生した場合に、基地局の伝送制御部内（主にＲＬＣ／ＭＡＣレイヤー）で秘匿パラメータのずれを検出し補正する場合にのみ有効な手段である。秘匿パラメータのずれが生じた際、基地局側単独で秘匿鍵となる入力パラメータを補正する方法のため、秘匿パラメータの変更を移動機側に通知することができない。そのため実際の音声データを聞かなければ秘匿パラメータずれが解消されたかどうかは分からない。さらに従来技術の解決方法は音声データを元に異音の判定を行う方法ではないため、異音が解決しない場合や、秘匿ずれ以外のメカニズムで異音が発生している場合等は伝送路として問題は発生していないためユーザ操作で通信を切断しない限り異音発生状態の通信が継続されるという課題を有していた。
【０００５】
本発明は、従来の課題を解決するためになされたもので、異音発生時にユーザに不快な音を聴かせることを避けることが出来る通信装置及び通信方法を提供することを目的とする。
【課題を解決するための手段】
【０００６】
前記従来の課題を解決するために、本発明の通信装置は、音声データを含む無線信号を送受信する送受信部と、前記送受信部で受信した無線信号をデジタル信号に変換する復号処理と、前記デジタル信号の秘匿パラメータを解除して秘匿解除後の音声データを生成する秘匿パラメータ解除処理と、を行う伝送制御部と、前記伝送制御部の生成した秘匿解除後の音声データを音声コーデック規則に基づいて音声符号化データへ変換する符号化処理を行うとともに、変換した音声符号化データのパラメータが所定のパラメータ範囲内にあるか否かを判定し、前記音声符号化データのパラメータが所定のパラメータ範囲内にない旨の判定が行われた場合に、前記伝送制御部に対して通信の切断および再発信の要求を行う音声制御部と、を備える。
【０００７】
また、本発明の通信方法は、音声データを含む無線信号を送受信する送受信ステップと、前記送受信ステップで受信した無線信号をデジタル信号に変換する復号処理と、前記デジタル信号の秘匿パラメータを解除して秘匿解除後の音声データを生成する秘匿パラメータ解除処理と、を行う伝送制御ステップと、前記伝送制御ステップの生成した秘匿解除後の音声データを音声コーデック規則に基づいて音声符号化データへ変換する符号化処理を行うとともに、変換した音声符号化データのパラメータが所定のパラメータ範囲内にあるか否かを判定し、前記音声符号化データのパラメータが所定のパラメータ範囲内にない旨の判定が行われた場合に、通信の切断および再発信の要求を行う音声制御ステップと、を備える。
【発明の効果】
【０００８】
本発明は、異音発生時は通信の切断を行うことを可能とし、ユーザに不快な音を聴かせることを避けることが出来る。更に再発信を自動で行うことで、次回の通話時は秘匿パラメータずれによる異音発生は解消される可能性が高くなり、異音発生率を低減することが出来る。
【図面の簡単な説明】
【０００９】
【図１】本発明の実施の形態における移動機の構成を示すブロック図
【図２】本発明の実施の形態における移動機の動作を説明するフローチャート
【図３】符号化データのパラメータ範囲を説明する図
【発明を実施するための形態】
【００１０】
以下、本発明を実施するための形態について、図面を参照しながら説明する。
【００１１】
図１は、本発明の実施の形態における通信装置の例としての移動機の構成を示すブロック図である。図１に示すように、移動機１は、アンテナ２と、基地局と通信を行って音声データを送受信する送受信部３と、受信した音声データを入力し復号処理する伝送制御部４と、伝送制御部で受信した復号データを音声データに符号化する音声制御部５と符号化された音声データを出力するスピーカ７と音声データを入力するマイク６とを備える。
【００１２】
伝送制御部４は、送受信部から受信した音声データの復号処理と、ＣＲＣ判定と、音声有音無音判定と、音声データの秘匿パラメータ解除処理とを行う。ここで、音声データの復号処理とは基地局側であらかじめ音声データを物理レイヤーのデータ形式に変換し、次に拡散符号やスクランブリング符号で拡散されたデジタル信号を無線信号に変換を行い、移動機に対して送信されたデータに対して、送受信部から受信した無線信号をデジタル信号に変換し拡散符号やスクランブリング符号をかけ合わせ、送信前の物理レイヤーのデータに変換することを指す。また、ＣＲＣ判定とは基地局が音声データを物理レイヤーのデータ形式に変換する際、ブロック誤りを検出するために付加されるＣＲＣビットに対して、移動機側で受信したＣＲＣビットと物理レイヤーの受信データを元に移動機で算出したＣＲＣビットを照合することで伝搬路上のデータの誤りの有無を判定することを指す。また、音声有音無音判定とは、音声が有音の場合と無音の場合で受信した物理レイヤーのデータのビット数が異なることを元に、受信した音声データが有音か無音かの判定を行うことを指す。また、音声データの秘匿パラメータ解除処理とは、物理レイヤーのデータに対して秘匿鍵となる基地局と移動機間の共通のカウンタ値や秘匿パラメータをかけ合わせ演算することで物理レイヤーのデータに対して秘匿を解除することを指す。
【００１３】
音声制御部５は、伝送制御部から受信した秘匿解除後の音声データに対して符号化処理と符号化データのパラメータチェックとを行い、符号化データのパラメータチェック後の不一致回数をカウントする機能を備える。更に音声制御部５は符号化データのパラメータチェック結果が不一致の場合、伝送制御部４に通信の切断及び再発信の要求を送信する機能を備える。ここで、符号化処理とは、秘匿パラメータ解除処理後の音声データに対して音声コーデック規則に基づきデータの並び替えと並び替えたデータをゲインやピッチパラメータ等を調整して、音声データ（詳しくは、符号化データまたは音声符号化データ）へ変換することを指す。また、符号化データのパラメータチェックとは、前述の音声データを音声コーデック規則に基づき並び替えたデータに対して、ゲインやピッチパラメータに変換する際、予めゲインやピッチパラメータの設定可能な値の範囲が決まっていることから、規定内の値かどうかを確認することを指す。
【００１４】
図２は、本発明の実施の形態における移動機の動作を説明するフローチャートである。図２に示すように、伝送制御部４は、送受信部３で受信した音声データに対して復号処理を行う。（ステップＳ１０２）。次に、伝送制御部４は、復号処理データに基づいて無線Ｆｒａｍｅ（２０ｍｓｅｃ）ごとにＣＲＣのＯＫ／ＮＧおよび音声有音／無音判定を行う（ステップＳ１０４）。次に、伝送制御部４は、ＣＲＣ  ＯＫでない場合はステップＳ１０２の処理に戻る処理を行う（ステップＳ１０６  ＮＯ）。また、伝送制御部４は、ＣＲＣ  ＯＫの場合はステップＳ１０８の処理に進む処理を行う（ステップＳ１０６  ＹＥＳ）。次に、伝送制御部４は、音声  有音でない場合（すなわち音声  無音の場合）はステップＳ１０２の処理に戻る処理を行う。具体的には、復号処理データのＣｌａｓｓ  Ａのビット数が０ビットの場合に音声  有音でない（すなわち音声  無音である）として、ステップＳ１０２の処理に戻る処理を行う（ステップＳ１０８  ＮＯ）。また、伝送制御部４は、音声  有音の場合はステップＳ１１０の処理に進む処理を行う。具体的には、復号処理データのＣｌａｓｓ  Ａのビット数が０ビットでない場合に、音声  有音としてステップＳ１１０の処理に進む処理を行う（ステップＳ１０８  ＹＥＳ）。次に、伝送制御部４は、音声データの秘匿パラメータの解除処理を行う。そして、秘匿解除処理を行った音声データと共にＣＲＣの判定結果を音声制御部５に渡す。これにより無線Ｆｒａｍｅデータ毎に音声制御部５はＣＲＣ判定結果と音声データ有音無音状態を知ることが出来る（ステップＳ１１０）。
【００１５】
次に、音声制御部５は、伝送制御部４より受信した音声データから符号化処理を行う（ステップＳ１１２）。次に、音声制御部５は、前述のＣＲＣのＯＫ／ＮＧ情報と音声有音／無音情報からＣＲＣがＯＫかつ有音時に符号化データのパラメータチェックを行う。符号化データのパラメータチェック判定例として図３に示すようなＡｄａｐｔｉｖｅｃｏｄｅｂｏｏｋ  Ｉｎｄｅｘ、Ｇａｉｎが挙げられる。例えばＡｄａｐｔｉｖｅｃｏｄｅｂｏｏｋ  Ｉｎｄｅｘ、Ｇａｉｎのように各符号化データのパラメータ設定可能範囲は予め規格で規定されており０．０から１．２の範囲を取りうる。音声制御部５で例えばＡｄａｐｔｉｖｅｃｏｄｅｂｏｏｋ  Ｉｎｄｅｘ、Ｇａｉｎのようなパラメータ設定範囲情報を保持することで、ＣＲＣがＯＫかつ音声有音時にそれぞれの符号化データのパラメータに対し設定不可能な範囲の値が設定された場合に、符号化データのパラメータ不一致と判定する。本構成により、秘匿パラメータずれ状態と判断するために、音声制御部５にて符号化された音声データだけでなく、伝送制御部からのＣＲＣ情報と音声有音無音情報を合わせて符号化データのパラメータチェックを行うことが出来る。秘匿タイミングがずれている場合に符号化データは設定可能なパラメータの範囲外の値が設定される可能性があり、符号化データのパラメータチェックで値を判定することで秘匿パラメータのずれが発生状態を音声制御部５で判定することが出来る。また伝送制御部４の復号処理データだけではなく、音声制御部５で符号化データを検証するため、既存の秘匿パラメータのずれ（ＣＦＮずれ）ケース以外の秘匿パラメータのずれのケースにおいても対処することが可能となる（ステップＳ１１４）。
【００１６】
次に、音声制御部５にてパラメータ不一致と判定された場合は、音声制御部５は秘匿パラメータのずれが発生していると判定し、伝送制御部４に切断要求を送信し、要求を受信した伝送制御部４は本命令および再発信要求を実行する。本構成により、秘匿パラメータのずれが発生した音声通信の切断および再発信を伝送制御部４が行うことで、ユーザが切断動作をすることなく通信の切断と再発信を自動で行うことが可能となり、次回の通信で秘匿パラメータのずれが発生することを低減させることが可能となる（ステップＳ１１６  ＮＯ、ステップＳ１２２）。一方、音声制御部５にてパラメータが一致と判定された場合はステップＳ１０２の処理に戻る処理を行う（ステップＳ１１６  ＹＥＳ）。なお、図３のステップＳ１１８からステップＳ１２０までの処理は省略することも可能である。
【００１７】
次に、図２２のステップＳ１１８からステップＳ１２０までの処理を省略しない場合について説明する。音声制御部５にてパラメータが不一致と判定された場合に不一致カンターの値は１インクリメントされ、ベアラ切断閾値と比較を行う（ステップＳ１１８からステップＳ１２０）。不一致カウンタがベアラ切断閾値より小さい場合は（ステップＳ１２０  Ｎｏ）ステップＳ１０２に戻る処理を行う。不一致カウンタがベアラ切断閾値より大きい場合はステップＳ１２２に進む処理を行う（ステップＳ１２０  Ｙｅｓ）。
【００１８】
以上で説明したように、本発明の実施の形態の移動機は、音声通信中に秘匿パラメータのずれが生じた際に生まれる特徴的な情報を符号化データより抽出し移動機内の伝送制御部のアシスト情報として音声制御部に渡し、本情報を元に音声制御部で符号化データの異音発生の有無を判断する。これにより、異音発生時は直ちに現在の通信の切断を行うことを可能とし、ユーザに不快な音を聴かせることを避けることが出来る。更に再発信を自動で行うことで、次回の通話時は秘匿パラメータのずれによる異音発生は解消される可能性が高くなり、異音発生率を低減することが出来る。
【００１９】
なお、上記の実施の形態においては、通信装置として携帯電話機等の移動機の例を説明したが、他の通信装置であっても同様である。
【産業上の利用可能性】
【００２０】
本発明は音声通信中に秘匿パラメータのずれが生じた際に生まれる特徴的なデータを通信装置の伝送制御部のアシスト情報として音声制御部に渡し、本情報を元に音声制御部で符号化データの異音発生の有無を判断する。これにより、異音発生時は直ちに現在の通信の切断を行うことを可能とし、ユーザに不快な音を聴かせることを避けることが出来る。更に再発信を自動で行うことで、次回の通話時は秘匿パラメータのずれによる異音発生は解消される可能性が高くなり、異音発生率を低減することが出来る。このため、本発明は、通信装置、通信方法等として有用である。
【符号の説明】
【００２１】
１    移動機
２    アンテナ
３    送受信部
４    伝送制御部
５    音声制御部
６    マイク
７    スピーカ
【図１】
2012028889.tif 000003
【図２】
2012028889.tif 000004
【図３】
2012028889.tif 000005